(57)【要約】【課題】複数の階層に区分されている表示項目から所望の表示項目を効率的に探索可能な、情報処理装置、情報処理方法およびプログラムを提供する。【解決手段】複数の階層に区分された表示項目Ｏのうち、所定の階層に属する表示項目を表示する表示パネル１１と、タッチパネル１３上を移動する操作体Ｐの移動方向および移動量とともに操作体の数を検出する操作体検出部１５と、所定の階層に対応する数の操作体の移動が検出されると、移動方向および移動量の検出結果に基づき、所定の階層に属する表示項目をスクロール表示Ｓし、他の階層に対応する数の操作体の移動が検出されると、他の階層に属する表示項目を表示し、移動方向および移動量の検出結果に基づき、他の階層に属する表示項目をスクロール表示するように表示制御する表示制御部１７とを備える。【選択図】図２
2011170523.tif 000002
【特許請求の範囲】
【請求項１】
複数の階層に区分された表示項目のうち、所定の階層に属する表示項目を表示する表示部と、
検知領域上を移動する操作体の移動方向および移動量とともに前記操作体の数を検出する検出部と、
前記所定の階層に対応する数の操作体の移動が検出されると、前記移動方向および移動量の検出結果に基づき、前記所定の階層に属する表示項目をスクロール表示し、前記他の階層に対応する数の操作体の移動が検出されると、前記他の階層に属する表示項目を表示し、前記移動方向および移動量の検出結果に基づき、前記他の階層に属する表示項目をスクロール表示するように表示制御する表示制御部と
を備える情報処理装置。
【請求項２】
前記表示制御部は、前記所定の階層に属する表示項目がスクロール表示されている際に、前記他の階層に対応する数の操作体の移動が検出されると、前記他の階層に属する表示項目をスクロール表示するように表示制御する、請求項１に記載の情報処理装置。
【請求項３】
前記表示制御部は、スクロール表示の階層が前記所定の階層から前記他の階層に遷移すると、前記他の階層に属する表示項目のうち、前記階層が遷移する直前に前記所定の階層でフォーカスされていた表示項目の上位階層または下位階層に属する表示項目を表示するように表示制御する、請求項１または２に記載の情報処理装置。
【請求項４】
前記表示制御部は、前記他の階層に対応する数の操作体の移動が検出されなくなると、前記所定の階層に属する表示項目のうち、前記移動が検出されなくなる直前に前記他の階層でフォーカスされていた表示項目の下位階層に属する表示項目を表示するように表示制御する、請求項１〜３のいずれか１項に記載の情報処理装置。
【請求項５】
前記表示制御部は、前記操作体の数の変化が検出された後に所定の閾値を超える移動量を伴う操作体の移動が検出されると、スクロール表示の階層を遷移させるように表示制御する、請求項１〜４のいずれか１項に記載の情報処理装置。
【請求項６】
前記表示制御部は、所定の閾値を超える移動量を伴う操作体の移動が検出されると、表示項目をスクロール表示するように表示制御する、請求項１〜５のいずれか１項に記載の情報処理装置。
【請求項７】
前記表示制御部は、前記操作体の移動に追従して表示項目をスクロール表示するように表示制御する、請求項１〜６のいずれか１項に記載の情報処理装置。
【請求項８】
スクロール表示の階層の遷移を外部に通知する通知部をさらに備える、請求項１〜７のいずれか１項に記載の情報処理装置。
【請求項９】
前記所定の階層および前記他の階層のいずれか一方が上位階層に相当し、いずれか他方が下位階層に相当する場合、前記表示制御部は、前記下位階層に対応する数の操作体の移動が検出されると、前記上位階層および前記下位階層に属する表示項目をスクロール表示し、前記上位階層に対応する数の操作体の移動が検出されると、前記上位階層に属する表示項目をスクロール表示する、請求項１〜８のいずれか１項に記載の情報処理装置。
【請求項１０】
複数の階層に区分された表示項目のうち、所定の階層に属する表示項目を表示するステップと、
検知領域上を移動する操作体の移動方向および移動量とともに前記操作体の数を検出するステップと、
前記所定の階層に対応する数の操作体の移動を検出すると、前記移動方向および移動量の検出結果に基づき、前記所定の階層に属する表示項目をスクロール表示し、前記他の階層に対応する数の操作体の移動を検出すると、前記所定の階層に属する表示項目に代えて、前記他の階層に属する表示項目を表示し、前記移動方向および移動量の検出結果に基づき、前記他の階層に属する表示項目をスクロール表示するステップと
を含む情報処理方法。
【請求項１１】
複数の階層に区分された表示項目のうち、所定の階層に属する表示項目を表示するステップと、
検知領域上を移動する操作体の移動方向および移動量とともに前記操作体の数を検出するステップと、
前記所定の階層に対応する数の操作体の移動を検出すると、前記移動方向および移動量の検出結果に基づき、前記所定の階層に属する表示項目をスクロール表示し、前記他の階層に対応する数の操作体の移動を検出すると、前記所定の階層に属する表示項目に代えて、前記他の階層に属する表示項目を表示し、前記移動方向および移動量の検出結果に基づき、前記他の階層に属する表示項目をスクロール表示するステップと
を含む情報処理方法をコンピュータに実行させるためのプログラム。
【発明の詳細な説明】
【技術分野】
【０００１】
本発明は、情報処理装置、情報処理方法およびプログラムに関する。
【背景技術】
【０００２】
情報処理装置のユーザは、各種ソフトウェアの操作メニュー上で表示項目をスクロール表示させて所望の表示項目を探索するために、タッチパネルやタッチパッド上で操作体（ユーザの指、スタイラス等）により煩雑な操作を強いられる傾向にある。この傾向は、特に、表示項目が複数の階層に区分されている場合に顕著となる。
【０００３】
例えば、写真閲覧ソフトウェアにおいて、複数のアルバムに区分されているサムネイルから所望のサムネイルを探索する場合を想定する。この場合、まず、ユーザは、上位階層の選択画面（アルバム選択画面）上で、ドラッグ操作により表示項目をスクロール表示させて、所望のアルバムを探索して選択する。つぎに、ユーザは、選択画面を下位階層の選択画面（サムネイル選択画面）に切替えて、下位階層の選択画面上で、ドラッグ操作により表示項目をスクロール表示させて、所望のサムネイルを探索する。
【０００４】
よって、ユーザは、表示項目をスクロール表示するためのドラッグ操作とともに、階層構造を有する選択画面の切替え操作を行わなければならず、煩雑な操作を強いられてしまう。そして、操作の煩雑さは、表示項目が多くの階層に区分されているほど顕著となる。
【０００５】
ここで、ドラッグ操作の回数を減らすために、ドラッグ操作よりも大きく表示項目をスクロール表示させるフリック操作（タッチパネル面、タッチパッド面等を操作体により所定方向に弾く操作）が利用される場合がある。また、下記特許文献１では、スクロール表示のためにタッチパネル上を移動する操作体の数に応じて、電子ブックのページ送りの単位を変化させることが提案されている。
【先行技術文献】
【特許文献】
【０００６】
【特許文献１】特開平８−７６９２６号公報
【発明の概要】
【発明が解決しようとする課題】
【０００７】
しかし、フリック操作では、表示項目を大きくスクロール表示させるので、表示画面が激しく変化してしまい、フォーカスされている表示項目を見失い易くなり、かえって所望の表示項目を探索し難くなる場合がある。また、上記特許文献１の提案では、表示項目が複数の階層に区分されている場合、階層毎のドラッグ操作を効率的に行うことができるが、階層の切替え操作を回避することはできない。
【０００８】
そこで、本発明は、複数の階層に区分されている表示項目から所望の表示項目を効率的に探索可能な、情報処理装置、情報処理方法およびプログラムを提供しようとするものである。
【課題を解決するための手段】
【０００９】
本発明のある観点によれば、複数の階層に区分された表示項目のうち、所定の階層に属する表示項目を表示する表示部と、検知領域上を移動する操作体の移動方向および移動量とともに操作体の数を検出する検出部と、所定の階層に対応する数の操作体の移動が検出されると、移動方向および移動量の検出結果に基づき、所定の階層に属する表示項目をスクロール表示し、他の階層に対応する数の操作体の移動が検出されると、他の階層に属する表示項目を表示し、移動方向および移動量の検出結果に基づき、他の階層に属する表示項目をスクロール表示するように表示制御する表示制御部とを備える情報処理装置が提供される。
【００１０】
かかる構成によれば、検知領域上を移動する操作体の移動方向および移動量とともに操作体の数を検出し、移動方向および移動量の検出結果に基づき、操作体の数に対応する階層に属する表示項目がスクロール表示される。これにより、ユーザは、操作体の数の変更を通じて相異なる階層に属する表示項目をスクロール表示させることで、複数の階層に区分されている表示項目から所望の表示項目を効率的に探索することができる。
【００１１】
上記表示制御部は、所定の階層に属する表示項目がスクロール表示されている際に、他の階層に対応する数の操作体の移動が検出されると、他の階層に属する表示項目をスクロール表示するように表示制御してもよい。
【００１２】
上記表示制御部は、スクロール表示の階層が所定の階層から他の階層に遷移すると、他の階層に属する表示項目のうち、階層が遷移する直前に所定の階層でフォーカスされていた表示項目の上位階層または下位階層に属する表示項目を表示するように表示制御してもよい。
【００１３】
上記表示制御部は、他の階層に対応する数の操作体の移動が検出されなくなると、所定の階層に属する表示項目のうち、移動が検出されなくなる直前に他の階層でフォーカスされていた表示項目の下位階層に属する表示項目を表示するように表示制御してもよい。
【００１４】
上記表示制御部は、操作体の数の変化が検出された後に所定の閾値を超える移動量を伴う操作体の移動が検出されると、スクロール表示の階層を遷移させるように表示制御してもよい。
【００１５】
上記表示制御部は、所定の閾値を超える移動量を伴う操作体の移動が検出されると、表示項目をスクロール表示するように表示制御してもよい。
【００１６】
上記表示制御部は、操作体の移動に追従して表示項目をスクロール表示するように表示制御してもよい。
【００１７】
上記情報処理装置は、スクロール表示の階層の遷移を外部に通知する通知部をさらに備えてもよい。
【００１８】
前記所定の階層および前記他の階層のいずれか一方が上位階層に相当し、いずれか他方が下位階層に相当する場合、上記表示制御部は、下位階層に対応する数の操作体の移動が検出されると、上位階層および下位階層に属する表示項目をスクロール表示し、上位階層に対応する数の操作体の移動が検出されると、上位階層に属する表示項目をスクロール表示してもよい。
【００１９】
また、本発明の別の観点によれば、複数の階層に区分された表示項目のうち、所定の階層に属する表示項目を表示するステップと、検知領域上を移動する操作体の移動方向および移動量とともに操作体の数を検出するステップと、所定の階層に対応する数の操作体の移動を検出すると、移動方向および移動量の検出結果に基づき、所定の階層に属する表示項目をスクロール表示し、他の階層に対応する数の操作体の移動を検出すると、所定の階層に属する表示項目に代えて、他の階層に属する表示項目を表示し、移動方向および移動量の検出結果に基づき、他の階層に属する表示項目をスクロール表示するステップとを含む情報処理方法が提供される。
【００２０】
また、本発明の別の観点によれば、上記情報処理方法をコンピュータに実行させるためのプログラムが提供される。ここで、プログラムは、コンピュータ読取り可能な記録媒体を用いて提供されてもよく、通信手段を介して提供されてもよい。
【発明の効果】
【００２１】
以上説明したように本発明によれば、複数の階層に区分されている表示項目から所望の表示項目を効率的に探索可能な、情報処理装置、情報処理方法およびプログラムを提供することができる。
【図面の簡単な説明】
【００２２】
【図１】本発明の実施形態に係る情報処理装置の主要な機能構成を示すブロック図である。
【図２】本発明の実施形態に係る情報処理装置の基本的な動作手順を示すフロー図である。
【図３Ａ】写真閲覧ソフトウェアへの適用例を示す図（１／６）である。
【図３Ｂ】写真閲覧ソフトウェアへの適用例を示す図（２／６）である。
【図３Ｃ】写真閲覧ソフトウェアへの適用例を示す図（３／６）である。
【図３Ｄ】写真閲覧ソフトウェアへの適用例を示す図（４／６）である。
【図３Ｅ】写真閲覧ソフトウェアへの適用例を示す図（５／６）である。
【図３Ｆ】写真閲覧ソフトウェアへの適用例を示す図（６／６）である。
【図４Ａ】音楽再生ソフトウェアへの適用例を示す図（１／７）である。
【図４Ｂ】音楽再生ソフトウェアへの適用例を示す図（２／７）である。
【図４Ｃ】音楽再生ソフトウェアへの適用例を示す図（３／７）である。
【図４Ｄ】音楽再生ソフトウェアへの適用例を示す図（４／７）である。
【図４Ｅ】音楽再生ソフトウェアへの適用例を示す図（５／７）である。
【図４Ｆ】音楽再生ソフトウェアへの適用例を示す図（６／７）である。
【図４Ｇ】音楽再生ソフトウェアへの適用例を示す図（７／７）である。
【図５Ａ】リスト検索ソフトウェアへの適用例を示す図（１／６）である。
【図５Ｂ】リスト検索ソフトウェアへの適用例を示す図（２／６）である。
【図５Ｃ】リスト検索ソフトウェアへの適用例を示す図（３／６）である。
【図５Ｄ】リスト検索ソフトウェアへの適用例を示す図（４／６）である。
【図５Ｅ】リスト検索ソフトウェアへの適用例を示す図（５／６）である。
【図５Ｆ】リスト検索ソフトウェアへの適用例を示す図（６／６）である。
【図６Ａ】ウェブ閲覧ソフトウェアへの適用例を示す図（１／３）である。
【図６Ｂ】ウェブ閲覧ソフトウェアへの適用例を示す図（２／３）である。
【図６Ｃ】ウェブ閲覧ソフトウェアへの適用例を示す図（３／３）である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
［１．情報処理装置の構成］
まず、本発明の実施形態に係る情報処理装置について説明する。図１には、情報処理装置の主要な機能構成が示されている。
【００２５】
図１に示すように、情報処理装置は、表示パネル１１、タッチパネル１３、操作体検出部１５、表示制御部１７、データ記憶部１９、通知部２１および演算処理部２３を含んで構成されている。ここで、タッチパネル１３は、表示パネル１１に重ねて構成されるが、タッチパネル１３に代えて表示パネル１１と別途に構成されたタッチパッドが設けられてもよい。
【００２６】
表示パネル１１は、液晶ディスプレイ等により構成されており、複数の階層に区分された表示項目Ｏ（後述する表示項目Ｏ１〜Ｏ３の総称）を表示する。タッチパネル１３は、表示パネル１１に接触する操作体Ｐ（指、スタイラス等；後述する操作体Ｐ１〜Ｐ３の総称）を検知するための検知領域として機能する。タッチパネル１３は、操作体Ｐの接触状態を検知し、検知信号を操作体検出部１５に出力する。なお、操作体Ｐの接触状態に代えて、操作体Ｐの近接状態に応じた検知信号が出力されてもよい。
【００２７】
操作体検出部１５は、タッチパネル１３から入力される検知信号に応じて、操作体Ｐの移動方向および移動量とともに操作体Ｐの数を検出し、検出結果を演算処理部２３に出力する。操作体Ｐの移動方向および移動量は、操作体Ｐの接触／非接触を示す検知信号および接触位置を示す検知信号に基づき検出される。なお、接触体Ｐが複数である場合、接触体Ｐの接触位置は、例えば各接触体Ｐの接触位置同士の重心等として求められる。また、操作体Ｐの数は、操作体Ｐの接触位置を示す検知信号の分布状況等に基づき検出される。
【００２８】
表示制御部１７は、操作体Ｐの接触状態に応じて演算処理部２３から入力される指示に応じて、表示パネル１１による表示を制御する。表示制御部１７は、操作体Ｐの移動方向および移動量とともに操作体Ｐの数の検出結果に基づき、表示項目Ｏをスクロール表示Ｓするように表示パネル１１を制御する。
【００２９】
データ記憶部１９は、複数の階層に区分された表示項目Ｏのデータ等を格納する。表示項目Ｏは、表示項目Ｏが属する階層、およびその上位および／または下位の階層に関連付けて管理されている。表示項目Ｏのデータは、階層データ、表示データを含む。
【００３０】
通知部２１は、後述するようにスクロール表示Ｓの階層が遷移すると、演算処理部２３から入力される指示に応じて、画像（動画・静止画）、音声、振動等を用いて、階層の遷移をユーザに通知する。
【００３１】
演算処理部２３は、ＣＰＵ、ＲＯＭ、ＲＡＭ等により構成される。ＣＰＵは、後述する情報処理方法を実行するためのプログラムをＲＯＭから読出し、ＲＡＭ上に展開して実行することで、情報処理装置の動作制御に必要な演算処理を行う。
【００３２】
演算処理部２３は、所定の階層に属する表示項目Ｏを表示するように表示制御部１７に指示する。そして、演算処理部２３は、操作体検出部１５から入力される操作体Ｐの検出結果に基づき、表示項目Ｏをスクロール表示Ｓするように表示制御部１７に指示する。ここで、演算処理部２３は、操作体Ｐの数の検出結果に応じて、操作体Ｐの数に対応する階層に属する表示項目Ｏをスクロール表示Ｓするように表示制御部１７に指示する。
【００３３】
［２．情報処理装置の基本動作］
図２には、情報処理装置の基本的な動作手順が示されている。
【００３４】
図２に示すように、表示制御部１７は、所定の階層に属する表示項目Ｏを表示パネル１１に表示するように表示制御する（ステップＳ１１）。タッチパネル１３上で操作体Ｐの移動が検知されると（Ｓ１３）、操作体検出部１５は、タッチパネル１３から入力される検知信号に基づき、操作体Ｐの移動方向、移動量とともに操作体Ｐの数を検出する（Ｓ１５）。
【００３５】
演算処理部２３は、操作体Ｐの数の検出結果に基づき、操作体Ｐの数が現在の階層に対応しているかを判定する（Ｓ１７）。ここで、初期段階では、所定の階層が現在の階層に相当する。判定結果が肯定的である場合、演算処理部２３は、移動方向および移動量の検出結果に基づき、現在の階層に属する表示項目Ｏをスクロール表示Ｓするように、表示制御部１７に指示する。スクロール表示Ｓの指示を受けると、表示制御部１７は、現在の階層（所定の階層）に属する表示項目Ｏをスクロール表示Ｓするように表示制御する（Ｓ１９）。
【００３６】
一方、ステップＳ１７の処理で判定結果が否定的である場合、演算処理部２３は、移動量の検出結果に基づき、操作体Ｐの移動量が所定の閾値を超えたかを判定する（Ｓ２１）。そして、移動量が所定の閾値を超えた場合、演算処理部２３は、スクロール表示Ｓの階層を現在の階層（所定の階層）から操作体Ｐの数に対応する他の階層に遷移させる（Ｓ２３）。さらに、演算処理部２３は、他の階層に属する表示項目Ｏを表示するように表示制御部１７に指示する。階層遷移の指示を受けると、表示制御部１７は、他の階層に属する表示項目Ｏを表示するように表示制御する（Ｓ２５）。
【００３７】
ステップＳ１９またはＳ２５の処理が終了すると、ステップＳ１３の処理に復帰し、操作体Ｐの移動が検知されるかが再び判定される。そして、階層が遷移した後に他の階層に対応する数の操作体Ｐの移動が検知されると、ステップＳ１５およびＳ１７の処理を経て、演算処理部２３は、現在の階層（他の階層）に属する表示項目Ｏをスクロール表示Ｓするように表示制御する（Ｓ１９）。
【００３８】
［３．第１の実施形態］
つぎに、第１の実施形態に係る情報処理装置について説明する。また、図３Ａ〜３Ｆおよび図４Ａ〜４Ｇには、第１の実施形態に係る情報処理装置の写真閲覧ソフトウェアへの適用例および音楽再生ソフトウェアへの適用例が各々に示されている。なお、図３Ａ〜３Ｆおよび図４Ａ〜４Ｇに示す状態ＳＴのうちスクロール表示Ｓを伴う状態ＳＴでは、スクロール表示後の表示項目Ｏが示されている。また、図３Ａ〜３Ｆおよび図４Ａ〜４Ｇでは、操作体Ｐの移動方向および移動量とともに操作体Ｐの数が模式的に示されている。
【００３９】
第１の実施形態では、スクロール表示Ｓに際して操作体Ｐの数が変更すると、変更後の操作体Ｐの数に対応する階層に属する表示項目Ｏがスクロール表示Ｓされる。
【００４０】
（写真閲覧ソフトウェアへの適用例）
図３Ａ〜３Ｆには、写真閲覧ソフトウェアへの適用例が示されている。写真閲覧ソフトウェアでは、例えば、第１の階層の表示項目Ｏが写真のサムネイルＯ１に相当し、上位の第２の階層の表示項目ＯがアルバムＯ２に相当する。ここで、サムネイルＯ１は、例えば写真の撮影日付に対応するアルバムＯ２に区分されて管理されている。また、第１および第２の階層には、操作体Ｐの数「１」および「２」が各々に対応している。
【００４１】
図３Ａに示す状態ＳＴ１ａでは、例えばアルバムＯ２「１／５」に属する、複数のサムネイルＯ１が表示パネル１１の左右方向に表示されている。そして、状態ＳＴ１ｂに示すように、１の操作体Ｐ１により左方向にドラッグ操作Ｄ１が行われると、複数のサムネイルＯ１が左方向にスクロール表示Ｓされる。
【００４２】
一方、状態ＳＴ１ａにおいて、状態ＳＴ１ｃに示すように、２の操作体Ｐ１、Ｐ２により左方向に所定の移動量を伴うドラッグ操作Ｄ２が行われると、図３Ｂに示す状態ＳＴ１ｄに示すように、複数のアルバムＯ２が左右方向に表示される。ここで、状態ＳＴ１ｄでは、直前に表示されていたサムネイルＯ１が属するアルバムＯ２「１／５」がフォーカス表示されている。これにより、直前に表示されていたサムネイルＯ１との階層関係を保持した状態で、サムネイルＯ１の表示からアルバムＯ２の表示へと、表示項目Ｏをスムーズに移行させることができる。そして、状態ＳＴ１ｅに示すように、２の操作体Ｐ１、Ｐ２により左方向にドラッグ操作Ｄ１が行われると、複数のアルバムＯ２が左方向にスクロール表示Ｓされる。
【００４３】
状態ＳＴ１ｂに戻って、状態ＳＴ１ｂのドラッグ操作Ｄ１の途中において、状態ＳＴ１ｆに示すように、他の１の操作体Ｐ２が表示パネル１１に触れて、２の操作体Ｐ１、Ｐ２により左方向に所定の移動量を伴うドラッグ操作Ｄ２が行われると、図３Ｃに示す状態ＳＴ１ｇに示すように、複数のアルバムＯ２が左右方向に表示される。そして、状態ＳＴ１ｈに示すように、２の操作体Ｐ１、Ｐ２により左方向にドラッグ操作Ｄ１が行われると、複数のアルバムＯ２が左方向にスクロール表示Ｓされる。これにより、煩雑な切替え操作を伴うことなし、サムネイルＯ１のスクロール表示ＳからアルバムＯ２のスクロール表示Ｓへと、スクロール表示Ｓをシームレスに移行させることができる。
【００４４】
図３Ｃに示す状態ＳＴ１ｉでは、複数のアルバムＯ２が左右方向に表示されている。そして、図３Ｄに示す状態ＳＴ１ｊに示すように、２の操作体Ｐ１、Ｐ２により左方向にドラッグ操作Ｄ１が行われると、複数のアルバムＯ２が左方向にスクロール表示Ｓされる。
【００４５】
一方、図３Ｃに示す状態ＳＴ１ｉにおいて、図３Ｄに示す状態ＳＴ１ｋに示すように、１の操作体Ｐ１により左方向に所定の移動量を伴うドラッグ操作Ｄ２が行われると、状態ＳＴ１ｌに示すように、複数のサムネイルＯ１が左右方向に表示される。ここで、状態ＳＴ１ｌでは、直前にフォーカス表示されていた、例えばアルバムＯ２「１／５」に属するサムネイルＯ１が表示される。これにより、直前に表示されていたアルバムＯ２との階層関係を保持した状態で、アルバムＯ２の表示からサムネイルＯ１の表示へと、表示項目Ｏをスムーズに移行させることができる。そして、図３Ｅに示す状態ＳＴ１ｍに示すように、１の操作体Ｐ１により左方向にドラッグ操作Ｄ１が行われると、複数のサムネイルＯ１が左方向にスクロール表示Ｓされる。
【００４６】
図３Ｄに示す状態ＳＴ１ｊに戻って、状態ＳＴ１ｊのドラッグ操作Ｄ１の途中において、図３Ｅに示す状態ＳＴ１ｎに示すように、１の操作体Ｐ２（操作体Ｐ１でもよい。）が表示パネル１１から離されて、１の操作体Ｐ１により左方向に所定の移動量を伴うドラッグ操作Ｄ２が行われると、状態ＳＴ１ｏに示すように、複数のサムネイルＯ１が左右方向に表示される。ここで、状態ＳＴ１ｏでは、直前にフォーカス表示されていた、例えばアルバムＯ２「１／６」に属するサムネイルＯ１が表示される。そして、図３Ｆに示す状態ＳＴ１ｐに示すように、１の操作体Ｐ１により左方向にドラッグ操作Ｄ１が行われると、複数のサムネイルＯ１が左方向にスクロール表示Ｓされる。これにより、煩雑な切替え操作を伴うことなし、アルバムＯ２のスクロール表示ＳからサムネイルＯ１のスクロール表示Ｓへと、スクロール表示Ｓをシームレスに移行させることができる。
【００４７】
一方、図３Ｄに示す状態ＳＴ１ｊのドラッグ操作Ｄ１の途中において、図３Ｆに示す状態ＳＴ１ｑに示すように、２の操作体Ｐ１、Ｐ２が表示パネル１１から同時に離されると、複数のサムネイルＯ１が左右方向に表示される。ここで、状態ＳＴ１ｑでは、直前にフォーカス表示されていた、例えばアルバムＯ２「１／５」に属するサムネイルＯ１が表示される。これにより、直前に表示されていたアルバムＯ２との階層関係を保持した状態で、アルバムＯ２の表示からサムネイルＯ１の表示へと、表示項目Ｏをスムーズに移行させることができる。
【００４８】
なお、複数のサムネイルＯ１が表示されている状態で、任意のサムネイルＯ１に対してタップ操作が行われると、タップ操作の対象となったサムネイルＯ１が選択され、選択されたサムネイルＯ１に対応する写真が表示される。また、複数のアルバムＯ２が表示されている状態で、任意のアルバムＯ２に対してタップ操作が行われると、タップ操作の対象となったアルバムＯ２に属する複数のサムネイルＯ１が表示されてもよい。また、上記説明では、ドラッグ操作Ｄ１、Ｄ２が左方向に行われる場合について説明したが、右方向に行われてもよく、左右方向に切替えて行われてもよい。特に、階層が遷移する前後に際して、相異なる方向にドラッグ操作Ｄ１、Ｄ２が行われてもよい。
【００４９】
（音楽再生ソフトウェアへの適用例）
図４Ａ〜４Ｇには、音楽再生ソフトウェアへの適用例が示されている。音楽再生ソフトウェアでは、例えば、第１の階層の表示項目Ｏが楽曲Ｏ１に相当し、上位の第２の階層の表示項目ＯがアルバムＯ２に相当し、さらに上位の第３の階層の表示項目ＯがアーティストＯ３に相当する。ここで、楽曲Ｏ１は、楽曲Ｏ１を収録するアルバムＯ２に区分され、アルバムＯ２は、アルバムＯ２を制作したアーティストＯ３に区分されて管理されている。また、第１、第２および第３の階層には、操作体Ｐの数「１」、「２」および「３」が各々に対応している。
【００５０】
図４Ａに示す状態ＳＴ２ａでは、例えばアーティストＯ３「Ａ」のアルバムＯ２「Ａａ」に属する複数の楽曲Ｏ１が上下方向に表示されている。状態ＳＴ２ａにおいて、状態ＳＴ２ｂに示すように、１の操作体Ｐ１により上方向にドラッグ操作Ｄ１が行われると、複数の楽曲Ｏ１が上方向にスクロール表示Ｓされる。
【００５１】
状態ＳＴ２ｂのドラッグ操作Ｄ１の途中において、状態ＳＴ２ｃに示すように、他の１の操作体Ｐ２が表示パネル１１に触れて、２の操作体Ｐ１、Ｐ２により上方向に所定の移動量を伴うドラッグ操作Ｄ２が行われると、図４Ｂに示す状態ＳＴ２ｄに示すように、アーティストＯ３「Ａ」の複数のアルバムＯ２が上上方向に表示される。ここで、状態ＳＴ２ｄでは、直前に表示されていたアルバムＯ２「Ａａ」がフォーカス表示されている。そして、状態ＳＴ２ｅに示すように、２の操作体Ｐ１、Ｐ２により上方向にドラッグ操作Ｄ１が行われると、複数のアルバムＯ２が上方向にスクロール表示Ｓされる。
【００５２】
状態ＳＴ２ｅのドラッグ操作Ｄ１の途中において、状態ＳＴ２ｆに示すように、１の操作体Ｐ２（操作体Ｐ１でもよい。）が表示パネル１１から離されて、１の操作体Ｐ１により上方向に所定の移動量を伴うドラッグ操作Ｄ２が行われると、図４Ｃに示す状態ＳＴ２ｇに示すように、複数の楽曲Ｏ１が上下方向に表示される。ここで、状態ＳＴ２ｇでは、直前にフォーカス表示されていた、例えばアルバムＯ２「Ａｃ」に属する楽曲Ｏ１が表示される。そして、状態ＳＴ２ｈに示すように、１の操作体Ｐ１により上方向にドラッグ操作Ｄ１が行われると、複数の楽曲Ｏ１が上方向にスクロール表示Ｓされる。
【００５３】
図４Ｂに示す状態ＳＴ２ｅに戻って、状態ＳＴ２ｅのドラッグ操作Ｄ１の途中において、図４Ｃに示す状態ＳＴ２ｉに示すように、２の操作体Ｐ１、Ｐ２が表示パネル１１から同時に離されると、複数の楽曲Ｏ１が上下方向に表示される。ここで、状態ＳＴ２ｉでは、直前にフォーカス表示されていた、例えばアルバムＯ２「Ａｃ」に属する楽曲Ｏ１が表示される。
【００５４】
一方、図４Ｂに示す状態ＳＴ２ｅのドラッグ操作Ｄ１中に、図４Ｄに示す状態ＳＴ２ｊに示すように、他の１の操作体Ｐ３が表示パネル１１に触れて、３の操作体Ｐ１、Ｐ２、Ｐ３により上方向に所定の移動量を伴うドラッグ操作Ｄ２が行われると、状態ＳＴ２ｋに示すように、複数のアーティストＯ３が上下方向に表示される。そして、状態ＳＴ２ｌに示すように、３の操作体Ｐ１、Ｐ２、Ｐ３により上方向にドラッグ操作Ｄ１が行われると、複数のアーティストＯ３が上方向にスクロール表示Ｓされる。
【００５５】
状態ＳＴ２ｌのドラッグ操作Ｄ中において、図４Ｅに示す状態ＳＴ２ｍに示すように、１の操作体Ｐ３（操作体Ｐ１またはＰ２でもよい。）が表示パネル１１から離されて、２の操作体Ｐ１、Ｐ２により上方向に所定の移動量を伴うドラッグ操作Ｄ２が行われると、状態ＳＴ２ｎに示すように、複数のアルバムＯ２が上下方向に表示される。ここで、状態ＳＴ２ｎでは、直前にフォーカス表示されていた、例えばアーティストＯ３「Ｃ」に属するアルバムＯ２が表示される。そして、状態ＳＴ２ｏに示すように、２の操作体Ｐ１、Ｐ２により上方向にドラッグ操作Ｄ１が行われると、複数のアルバムＯ２が上方向にスクロール表示Ｓされる。
【００５６】
一方、状態ＳＴ２ｌのドラッグ操作Ｄ１の途中において、図４Ｆに示す状態ＳＴ２ｐに示すように、３の操作体Ｐ１、Ｐ２、Ｐ３が表示パネル１１から同時に離されると、複数の楽曲Ｏ１が上下方向に表示される。ここで、状態ＳＴ２ｐでは、直前にフォーカス表示されていた、例えば、アーティストＯ３「Ｃ」に属する所定のアルバムＯ２の楽曲Ｏ１が表示される。なお、所定のアルバムＯ２は、例えばアーティストＯ３「Ｃ」に区分された筆頭のアルバムＯ２「Ｃａ」でもよく、事前に表示されたアルバムＯ２でもよく、最近再生されたアルバムＯ２や再生頻度が高いアルバムＯ２でもよい。
【００５７】
図４Ａに示す状態ＳＴ２ｂに戻って、状態ＳＴ２ｂのドラッグ操作Ｄ１の途中において、図４Ｆに示す状態ＳＴ２ｑに示すように、他の２の操作体Ｐ２、Ｐ３が表示パネル１１に触れて、３の操作体Ｐ１、Ｐ２、Ｐ３により上方向に所定の移動量を伴うドラッグ操作Ｄ２が行われると、状態ＳＴ２ｒに示すように、複数のアーティストＯ３が上下方向に表示される。そして、状態ＳＴ２ｓに示すように、３の操作体Ｐ１、Ｐ２、Ｐ３により上方向にドラッグ操作Ｄ１が行われると、複数のアーティストＯ３が上方向にスクロール表示Ｓされる。
【００５８】
なお、複数の楽曲Ｏ１が表示されている状態で、任意の楽曲Ｏ１に対してタップ操作が行われると、タップ操作の対象となった楽曲Ｏ１が選択され、選択された楽曲Ｏ１が再生される。また、複数のアルバムＯ２が表示されている状態で、任意のアルバムＯ２に対してタップ操作が行われると、タップ操作の対象となったアルバムＯ２に属する複数の楽曲Ｏ１が表示されてもよい。また、複数のアーティストＯ３が表示されている状態で、任意のアーティストＯ３に対してタップ操作が行われると、タップ操作の対象となったアーティストＯ３に属する複数のアルバムＯ２が表示されてもよい。また、上記説明では、ドラッグ操作Ｄ１、Ｄ２、Ｄ３が上方向に行われる場合について説明したが、下方向に行われてもよく、上下方向に切替えて行われてもよい。特に、階層が遷移する前後に際して、相異なる方向にドラッグ操作Ｄ１、Ｄ２、Ｄ３が行われてもよい。
【００５９】
［４．第２の実施形態］
つぎに、第２の実施形態に係る情報処理装置について説明する。図５Ａ〜５Ｆおよび図６Ａ〜６Ｃには、第２の実施形態に係る情報処理装置のリスト検索ソフトウェアへの適用例およびウェブ閲覧ソフトウェアへの適用例が各々に示されている。なお、図５Ａ〜５Ｆおよび図６Ａ〜６Ｃに示す状態ＳＴのうちスクロール表示Ｓを伴う状態ＳＴでは、スクロール表示後の表示項目Ｏが示されている。また、図５Ａ〜５Ｆおよび図６Ａ〜６Ｃでは、操作体Ｐの移動方向および移動量とともに操作体Ｐの数が模式的に示されている。
【００６０】
第２の実施形態では、スクロール表示Ｓに際して操作体Ｐの数が変更すると、変更後の操作体Ｐの数が下位階層に対応する場合には、上位階層および下位階層に属する表示項目Ｏがスクロール表示Ｓされ、変更後の操作体Ｐの数が上位階層に対応する場合には、上位階層に属する表示項目Ｏがスクロール表示Ｓされる。
【００６１】
（リスト検索ソフトウェアへの適用例）
図５Ａ〜５Ｆには、リスト検索ソフトウェアへの適用例が示されている。リスト検索ソフトウェアでは、例えば、第１の階層の表示項目Ｏがリストに登録されている人名Ｏ１に相当し、上位の第２の階層の表示項目Ｏがアルファベット分類用のインデックスＯ２に相当する。ここで、人名Ｏ１は、人名Ｏ１の頭文字に対応するインデックスＯ２に区分されて管理されている。また、第１および第２の階層には、操作体Ｐの数「１」および「２」が各々に対応している。
【００６２】
図５Ａに示す状態ＳＴ３ａでは、例えばインデックスＯ２「Ｃ」に属する人名Ｏ１、インデックスＯ２「Ｄ」、インデックスＯ２「Ｄ」に属する複数の人名Ｏ１、およびインデックスＯ２「Ｅ」の順序で、複数の人名Ｏ１およびインデックスＯ２が表示パネル１１の上下方向に表示されている。そして、状態ＳＴ３ｂに示すように、１の操作体Ｐ１により上方向にドラッグ操作Ｄ１が行われると、複数の人名Ｏ１およびインデックスＯ２が上方向にスクロール表示Ｓされる。
【００６３】
一方、状態ＳＴ３ａにおいて、状態ＳＴ３ｃに示すように、２の操作体Ｐ１、Ｐ２により上方向に所定の閾値を超える移動量を伴うドラッグ操作Ｄ２が行われると、図５Ｂに示す状態ＳＴ３ｄに示すように、例えばインデックスＯ２「Ａ」〜「Ｈ」の順序で、複数のインデックスＯ２が上下方向に表示される。ここで、状態ＳＴ３ｄでは、直前に表示パネル１１の中央に表示されていた人名Ｏ１が属するインデックスＯ２「Ｄ」がフォーカス表示されている。これにより、直前に表示されていた人名Ｏ１との階層関係を保持した状態で、人名Ｏ１およびインデックスＯ２の表示からインデックスＯ２のみの表示へと、表示項目Ｏをスムーズに移行させることができる。そして、状態ＳＴ３ｅに示すように、２の操作体Ｐ１、Ｐ２により上方向にドラッグ操作Ｄ１が行われると、複数のインデックスＯ２が上方向にスクロール表示Ｓされる。
【００６４】
図５Ａに示す状態ＳＴ３ｂに戻って、状態ＳＴ３ｂのドラッグ操作Ｄ１の途中において、図５Ｂに示す状態ＳＴ３ｆに示すように、他の１の操作体Ｐ２が表示パネル１１に触れて、２の操作体Ｐ１、Ｐ２により上方向に所定の移動量を伴うドラッグ操作Ｄ２が行われると、図５Ｃに示す状態ＳＴ３ｇに示すように、複数のインデックスＯ２が上下方向に表示される。そして、状態ＳＴ３ｈに示すように、２の操作体Ｐ１、Ｐ２により上方向にドラッグ操作Ｄ１が行われると、複数のインデックスＯ２が上方向にスクロール表示Ｓされる。これにより、煩雑な切替え操作を伴うことなし、人名Ｏ１およびインデックスＯ２のスクロール表示ＳからインデックスＯ２のみのスクロール表示Ｓへと、スクロール表示Ｓをシームレスに移行させることができる。
【００６５】
図５Ｃに示す状態ＳＴ３ｉでは、複数のインデックスＯ２が上下方向に表示されている。そして、図５Ｄに示す状態ＳＴ３ｊに示すように、２の操作体Ｐ１、Ｐ２により上方向にドラッグ操作Ｄ１が行われると、複数のインデックスＯ２が上方向にスクロール表示Ｓされる。
【００６６】
一方、図５Ｃに示す状態ＳＴ３ｉにおいて、図５Ｄに示す状態ＳＴ３ｋに示すように、１の操作体Ｐ１により上方向に所定の移動量を伴うドラッグ操作Ｄ２が行われると、状態ＳＴ３ｌに示すように、複数の人名Ｏ１およびインデックスＯ２が上下方向に表示される。ここで、状態ＳＴ３ｌでは、直前にフォーカス表示されていた、例えばインデックスＯ２「Ｃ」に属する人名Ｏ１が表示パネル１１の中央に配置される。これにより、直前に表示されていたインデックスＯ２との階層関係を保持した状態で、インデックスＯ２のみの表示から人名Ｏ１およびインデックスＯ２の表示へと、表示項目Ｏをスムーズに移行させることができる。そして、図５Ｅに示す状態ＳＴ３ｍに示すように、１の操作体Ｐ１により上方向にドラッグ操作Ｄ１が行われると、複数の人名Ｏ１およびインデックスＯ２が上方向にスクロール表示Ｓされる。
【００６７】
図５Ｄに示す状態ＳＴ３ｊに戻って、状態ＳＴ３ｊのドラッグ操作Ｄ中において、図５Ｅに示す状態ＳＴ３ｎに示すように、１の操作体Ｐ２（操作体Ｐ１でもよい。）が表示パネル１１から離されて、１の操作体Ｐ１により上方向に所定の閾値を越える移動量を伴うドラッグ操作Ｄ２が行われると、状態ＳＴ３ｏに示すように、複数の人名Ｏ１およびインデックスＯ２が上下方向に表示される。ここで、状態ＳＴ３ｏでは、直前にフォーカス表示されていた、例えばインデックスＯ２「Ｈ」に属する人名Ｏ１が表示パネル１１の中央に配置される。そして、図５Ｆに示す状態ＳＴ３ｐに示すように、１の操作体Ｐ１により上方向にドラッグ操作Ｄ１が行われると、複数の人名Ｏ１およびインデックスＯ２が上方向にスクロール表示Ｓされる。これにより、煩雑な切替え操作を伴うことなし、インデックスＯ２のみのスクロール表示Ｓから人名Ｏ１およびインデックスＯ２のスクロール表示Ｓへと、スクロール表示Ｓをシームレスに移行させることができる。
【００６８】
一方、図５Ｄに示す状態ＳＴ３ｊのドラッグ操作Ｄ１の途中において、図５Ｆに示す状態ＳＴ３ｑに示すように、２の操作体Ｐ１、Ｐ２が表示パネル１１から同時に離されると、複数の人名Ｏ１およびインデックスＯ２が上下方向に表示される。ここで、状態ＳＴ３ｑでは、直前にフォーカス表示されていた、例えばインデックスＯ２「Ｃ」に属する人名Ｏ１が表示パネル１１の中央に配置される。これにより、直前に表示されていたインデックスＯ２との階層関係を保持した状態で、インデックスＯ２のみの表示から人名Ｏ１およびインデックスＯ２の表示へと、表示項目Ｏをスムーズに移行させることができる。
【００６９】
なお、複数の人名Ｏ１が表示されている状態で、任意の人名Ｏ１に対してタップ操作が行われると、タップ操作の対象となった人名Ｏ１が選択され、選択された人の詳細情報等が表示される。また、複数のインデックスＯ２のみが表示されている状態で、任意のインデックスＯ２に対してタップ操作が行われると、タップ操作の対象となったインデックスＯ２に属する複数の人名Ｏ１が表示されてもよい。また、上記説明では、ドラッグ操作Ｄ１、Ｄ２が上方向に行われる場合について説明したが、下方向に行われてもよく、上下方向に切替えて行われてもよい。特に、階層が遷移する前後に際して、相異なる方向にドラッグ操作Ｄ１、Ｄ２が行われてもよい。
【００７０】
（ウェブ閲覧ソフトウェアへの適用例）
図６Ａ〜６Ｃには、ウェブ閲覧ソフトウェアへの適用例が示されている。ウェブ閲覧ソフトウェアでは、例えば、第１の階層の表示項目Ｏが特定のウェブページにリンクされたニュース項目Ｏ１に相当し、上位の第２の階層の表示項目ＯがカテゴリＯ２に相当する。ここで、ニュース項目Ｏ１は、例えば「トピックス」、「経済」、「エンタメ（エンターテイメント）」等からなる、ニュース項目Ｏ１に対応するカテゴリＯ２に区分されて管理されている。また、第１および第２の階層には、操作体Ｐの数「１」および「２」が各々に対応している。
【００７１】
図６Ａに示す状態ＳＴ４ａでは、例えばカテゴリＯ２「トピックス」、カテゴリＯ２「トピックス」に属する複数のニュース項目Ｏ１、カテゴリＯ２「経済」、カテゴリＯ２「経済」に属する複数のニュース項目Ｏ１、カテゴリＯ２「エンタメ」の順序で、複数のニュース項目Ｏ１およびカテゴリＯ２が上下方向に表示されている。状態ＳＴ４ａにおいて、状態ＳＴ４ｂに示すように、１の操作体Ｐ１により上方向にドラッグ操作Ｄ１が行われると、複数のニュース項目Ｏ１およびカテゴリＯ２が上方向にスクロール表示Ｓされる。
【００７２】
そして、状態ＳＴ４ｂのドラッグ操作Ｄ１の途中において、状態ＳＴ４ｃに示すように、他の１の操作体Ｐ２が表示パネル１１に触れて、２の操作体Ｐ１、Ｐ２により上方向に所定の移動量を伴うドラッグ操作Ｄ２が行われると、図６Ｂに示す状態ＳＴ４ｄに示すように、複数のカテゴリＯ２が上下方向に表示される。ここで、そして、状態ＳＴ４ｄでは、直前に表示パネル１１の中央に表示されていたニュース項目Ｏ１が属する、例えばカテゴリＯ２「経済」がフォーカス表示されている。状態ＳＴ４ｅに示すように、２の操作体Ｐ１、Ｐ２により上方向にドラッグ操作Ｄ１が行われると、複数のカテゴリＯ２が上方向にスクロール表示Ｓされる。
【００７３】
状態ＳＴ４ｅのドラッグ操作Ｄ１の途中において、状態ＳＴ４ｆに示すように、１の操作体Ｐ２（操作体Ｐ１でもよい。）が表示パネル１１から離されて、１の操作体Ｐ１により上方向に所定の移動量を伴うドラッグ操作Ｄ２が行われると、図６Ｃに示す状態ＳＴ４ｇに示すように、複数のニュース項目Ｏ１およびカテゴリＯ２が上下方向に表示される。ここで、状態ＳＴ４ｇでは、直前にフォーカス表示されていた、例えばカテゴリＯ２「車」に属するニュース項目Ｏ１が表示パネル１１の中央に配置される。そして、状態ＳＴ４ｈに示すように、１の操作体Ｐ１により上方向にドラッグ操作Ｄ１が行われると、複数のニュース項目Ｏ１およびカテゴリＯ２が上方向にスクロール表示Ｓされる。
【００７４】
一方、図６Ｂに示す状態ＳＴ４ｅのドラッグ操作Ｄ１の途中において、図６Ｃに示す状態ＳＴ４ｉに示すように、２の操作体Ｐ１、Ｐ２が表示パネル１１から同時に離されると、複数のニュース項目Ｏ１およびカテゴリＯ２が上下方向に表示される。ここで、状態ＳＴ４ｉでは、直前にフォーカス表示されていた、例えばカテゴリＯ２「スポーツ」に属するニュース項目Ｏ１が表示パネル１１の中央に配置される。
【００７５】
なお、複数のニュース項目Ｏ１が表示されている状態で、任意のニュース項目Ｏ１に対してタップ操作が行われると、タップ操作の対象となったニュース項目Ｏ１が選択され、選択されたニュース項目Ｏ１にリンクされたウェブページが表示される。また、複数のカテゴリＯ２のみが表示されている状態で、任意のカテゴリＯ２に対してタップ操作が行われると、タップ操作の対象となったインデックスＯ２に属する複数のニュース項目Ｏ１が表示されてもよい。また、上記説明では、ドラッグ操作Ｄ１、Ｄ２が上方向に行われる場合について説明したが、上方向に行われてもよく、上下方向に切替えて行われてもよい。特に、階層が遷移する前後に際して、相異なる方向にドラッグ操作Ｄ１、Ｄ２が行われてもよい。
【００７６】
［５．まとめ］
以上説明したように、本発明の実施形態に係る情報処理装置によれば、検知領域上を移動する操作体Ｐの移動方向および移動量とともに操作体Ｐの数を検出し、移動方向および移動量の検出結果に基づき、操作体Ｐの数に対応する階層に属する表示項目Ｏがスクロール表示Ｓされる。これにより、ユーザは、操作体Ｐの数の変更を通じて相異なる階層に属する表示項目Ｏをスクロール表示Ｓさせることで、複数の階層に区分されている表示項目Ｏから所望の表示項目Ｏを効率的に探索することができる。
【００７７】
ここで、ドラッグ操作Ｄ１に際しては、操作体Ｐにより所定の移動量を伴うドラッグ操作Ｄ１が行われた後にスクロール表示Ｓを開始することで、ユーザは、誤操作等による予期せぬスクロール表示Ｓの開始を回避することができる。また、操作体Ｐの移動に追従して表示項目Ｏをスクロール表示Ｓすることで、ユーザは、ドラッグ操作Ｄ１を直感的に行うことができる。また、階層の遷移に際しては、視覚的、聴覚的または触覚的な手段を用いて階層の遷移をユーザに通知することで、ユーザは、情報処理装置の挙動を理解することができる。
【００７８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７９】
例えば、上記実施形態では、第１および第３の各階層または第１〜第３の各階層でドラッグ操作Ｄ１、Ｄ２が行われる場合について説明したが、第１〜第４以上の各階層でドラッグ操作Ｄ１、Ｄ２が行われてもよい。また、上記実施形態では、階層が遷移すると、遷移が遷移する直前に表示されていた特定の表示項目Ｏと階層関係を有する表示項目Ｏが選択される場合について説明したが、階層関係を有しない表示項目Ｏが表示されてもよい。また、上記実施形態では、ドラッグ操作Ｄ１によりスクロール表示Ｓが行われる場合について説明したが、フリック操作によりスクロール表示Ｓが行われてもよい。
【符号の説明】
【００８０】
１１    表示パネル
１３    タッチパネル
１５    操作体検出部
１７    表示制御部
１９    データ記憶部
２１    通知部
２３    演算処理部
Ｏ１、Ｏ２、Ｏ３    表示項目
Ｐ１、Ｐ２、Ｐ３    操作体
Ｄ１、Ｄ２    ドラッグ操作
Ｓ    スクロール表示
【図１】
2011170523.tif 000003
【図２】
2011170523.tif 000004
【図３Ａ】
2011170523.tif 000005
【図３Ｂ】
2011170523.tif 000006
【図３Ｃ】
2011170523.tif 000007
【図３Ｄ】
2011170523.tif 000008
【図３Ｅ】
2011170523.tif 000009
【図３Ｆ】
2011170523.tif 000010
【図４Ａ】
2011170523.tif 000011
【図４Ｂ】
2011170523.tif 000012
【図４Ｃ】
2011170523.tif 000013
【図４Ｄ】
2011170523.tif 000014
【図４Ｅ】
2011170523.tif 000015
【図４Ｆ】
2011170523.tif 000016
【図４Ｇ】
2011170523.tif 000017
【図５Ａ】
2011170523.tif 000018
【図５Ｂ】
2011170523.tif 000019
【図５Ｃ】
2011170523.tif 000020
【図５Ｄ】
2011170523.tif 000021
【図５Ｅ】
2011170523.tif 000022
【図５Ｆ】
2011170523.tif 000023
【図６Ａ】
2011170523.tif 000024
【図６Ｂ】
2011170523.tif 000025
【図６Ｃ】
2011170523.tif 000026